(57)【特許請求の範囲】
【請求項１】
複数のゲートの各ゲートの解錠を制御する制御手段を備え、個人を識別する個人識別情報に基づいて前記複数のゲートのうちいずれのゲートを前記制御手段により解錠するかを判定するゲート装置であって、
前記個人識別情報を記憶した個人識別情報記憶手段を有する携帯電話器から前記個人識別情報を近距離無線通信によって受信する送受信手段と、
個人識別情報に対応して、上記複数のゲートの各ゲートを特定するゲート名称と当該ゲート名称に対して当該個人識別情報により識別される個人の当該ゲートの通行が通行許可か通行不可かのいずれかを表す通行可否情報とをあらかじめ記憶する通行可否情報記憶手段と、
暗証番号を生成し、生成した暗証番号を出力する暗証番号発生手段と、
前記通行可否情報記憶手段に記憶された個人識別情報に対応する複数のゲート名称と各ゲート名称に対する通行可否情報とから前記送受信手段により受信された個人識別情報に対応する複数のゲート名称と各ゲート名称に対する通行可否情報とを取得し、取得した各ゲート名称に対する通行可否情報のなかに通行許可を表す通行可否情報があるか否かを判定し、通行許可を表す通行可否情報があることを判定した場合、前記暗証番号発生手段により暗証番号を生成させ、前記暗証番号発生手段により出力された暗証番号を入力し、前記通行許可を表す通行可否情報に対するゲート名称から１つのゲート名称を選択し、選択したゲート名称と入力した暗証番号とを前記送受信手段を介して前記携帯電話器へ送信するとともに、前記ゲート名称と暗証番号とを出力する処理手段と、
前記処理手段により出力されたゲート名称と暗証番号とを記憶する暗証番号記憶手段と、
ゲート名称と暗証番号とを通行者から入力させ、入力されたゲート名称と暗証番号とを入力する入力手段と
を備え、
前記処理手段は、前記入力手段により入力された暗証番号と前記暗証番号記憶手段に記憶された暗証番号とが一致し、かつ、前記入力手段により入力されたゲート名称と前記暗証番号記憶手段に記憶されたゲート名称とが一致するか判定し、入力された暗証番号と記憶された暗証番号とが一致し、かつ、入力されたゲート名称と記憶されたゲート名称とが一致することを判定した場合、前記ゲート名称により特定されるゲートの通行を許可することを表す通行許可信号を前記制御手段に出力し、
前記制御手段は、前記処理手段により出力された通行許可信号により表された通行を許可されたゲートを制御してゲートを解錠する
ことを特徴とするゲート装置。
【発明の詳細な説明】
【０００１】
【発明の属する技術分野】
この発明は、建物や敷地への人や車などの出入りを管理する入退室管理システムに関するものである。
【０００２】
【従来の技術】
建物や敷地への人の出入りを管理する入退室管理システムでは、出入りする人物（個人・グループなど）を認証する手段の一つとして、通行者がテンキー部（入力手段）に特定の暗証番号を入力して照合を行う暗証番号照合が用いられている。
しかし、この暗証番号照合の場合、通行を許可されている者全員が特定の暗証番号を入力するものであるため、通行者毎の通行履歴をとることができなかった。
【０００３】
この事情を考慮して、個人識別情報と暗証番号の両方をテンキー部（入力手段）に入力して通行認証をする入退室管理システムが知られている。以下に、図７，８を用いて、従来の入退室管理システムの構成及び動作を説明する。図７において、１は建物や敷地への人や車などの出入りを許可されている通行者、３はゲート（扉）の開閉を制御するゲート装置、４はゲート（扉）である。
【０００４】
５は通行者１が特定の操作をする入力手段である。この入力手段５は、数字や記号等の釦を複数個有するテンキー部を備えており、暗証番号の入力を行う構成になっている。６はＣＰＵ等の演算処理を行う処理手段、８は個人識別情報毎に通行者１がゲートを通行できる許可者であるか否かの通行可否情報（通行許可情報及び通行不可情報）を記憶する通行可否情報記憶手段、１０は処理手段６から出力される信号に応じてゲート４の開閉を制御する制御手段、１６は個人識別情報に基いて通行履歴を記録する通行履歴記憶手段である。
【０００５】
次に、前述の様に構成された従来の入退室管理システムの作用について図８のフローを用いて説明する。ゲート（扉）を通行したい場合、通行者１は入力手段５に個人識別情報と特定の暗証番号を入力する（ステップ３０１）。以下、本明細書中では、「ステップ」を「Ｓ」と略す。この入力により、ゲート装置３の処理手段６は、入力手段５に入力された個人識別情報と特定の暗証番号を入手する（Ｓ３０２）。また、処理手段６は、通行可否情報記憶手段８に記憶されている入力された個人識別情報に対応する通行可否情報を読み出す（Ｓ３０３）。
【０００６】
そして、処理手段６は、入力手段５に入力された暗証番号と、予め登録されている暗証番号とが一致するか判定する（Ｓ３０４）。入力手段５に入力された暗証番号と登録されている暗証番号とが一致する場合には（Ｓ３０４のＹＥＳ）、通行可否情報を制御手段１０に出力する（Ｓ３０５）。制御手段１０は、出力された通行可否情報に応じてゲート４の開閉を制御する（Ｓ３０６）。つまり、通行許可情報の場合はゲート４を解錠し、通行不可情報の場合はゲート４を施錠したままに制御する。また、入力手段５に入力された暗証番号と登録されている暗証番号とが一致しない場合には（Ｓ３０４のＮＯ）、通行可否情報を制御手段１０へ出力しないため（Ｓ３０７）、ゲート４の解錠は行われない。
【０００７】
【発明が解決しようとする課題】
しかしながら、上述のような入退室管理システムは、個人識別情報の入力が必要であり、通行者は暗証番号と個人識別情報の両方を入力するため、手続が煩雑になるという問題があった。
【０００８】
本発明はかかる問題を解決するためになされたもので、暗証番号が漏洩すること無く、煩雑な個人識別情報の入力作業が不要で、かつ、セキュリティ性を向上できる入退室管理システムを得ることを目的とする。
また、個人識別情報の入力作業を経ることなく、通行履歴を記録することができる入退室管理システムを得ることを他の目的とする。
【０００９】
【課題を解決するための手段】
本発明は、暗証番号の入力を受け付ける入力手段と、携帯電話器との間で近距離無線の送受信を行う送受信手段と、前記携帯電話器から前記送受信手段への無線送信に基いて暗証番号を生成する暗証番号発生手段と、前記送受信手段を介して前記携帯電話器へ前記生成された暗証番号を送信するとともに、前記入力手段へ入力された暗証番号と前記生成された暗証番号とが一致するか否かによって通行可否信号を出力する処理手段と、前記処理手段から出力された通行可否信号に基いてゲートの開閉を制御する制御手段と、を具備したものである。
【００１０】
また、本発明は、前記携帯電話器から前記送受信手段への無線送信が、携帯電話器毎に記憶された個人識別情報の無線送信であるものである。
【００１１】
また、本発明は、前記個人識別情報毎に通行可否情報を記憶する第一の記憶手段を備え、前記処理手段は、前記送受信手段を介して前記携帯電話器から送信された個人識別情報に基いて前記第一の記憶手段から通行可否情報を読み出し、この読み出された前記通行可否情報が通行許可の場合には前記暗証番号発生手段へ暗証番号の生成を要求するものである。
【００１２】
また、本発明は、前記暗証番号発生手段が生成した暗証番号を一定時間記憶する第二の記憶手段を備え、前記処理手段は前記入力手段へ入力された暗証番号と前記第二の記憶手段に記憶された暗証番号とが一致するか否かによって通行可否の信号を出力するものである。
【００１３】
また、本発明は、前記個人識別情報に基いて通行履歴を記憶する第三の記憶手段を備え、前記第二の記憶手段は、前記暗証番号発生手段が生成した暗証番号とともに前記携帯電話器から送信された個人識別情報を一定時間記憶し、前記処理手段は、前記入力手段へ入力された暗証番号と前記第二の記憶手段に記憶された暗証番号とが一致する場合には、前記第二の記憶手段に記憶した個人識別情報を通行履歴として前記第三の記憶手段に記憶するものである。
【００１４】
また、本発明は、前記携帯電話器が、前記送受信手段との間で近距離無線の送受信を行い、前記送受信手段から無線送信された前記生成された暗証番号を表示する表示手段を備えたものである。
【００１５】
また、本発明は、前記表示手段の前記生成された暗証番号の表示が、前記携帯電話器への特定操作に基いて表示されるものである。
【００１６】
また、本発明は、前記携帯電話器と前記送受信手段との間で、近距離の無線ＬＡＮの送受信を行うものである。
【００１７】
また、本発明は、複数のゲートの開閉を制御する入退室管理システムであって、前記処理手段は前記携帯電話器からの無線送信に基いて、前記暗証番号発生手段で生成した暗証番号とともにゲートを特定する特定情報を、前記送受信手段を介して前記携帯電話器へ送信するものである。
【００１８】
また、本発明は、携帯電話器からの無線送信を受け付けるステップと、前記携帯電話器からの無線送信に基いて暗証番号を生成するステップと、前記生成された暗証番号を前記携帯電話器へ無線送信するステップと、前記無線送信された暗証番号の入力を受け付けるステップと、入力された暗証番号と前記生成された暗証番号とが一致するか否かによって通行可否信号を出力するステップと、前記出力された通行可否信号に基いてゲートの開閉を制御するステップと、を有するものである。
【００１９】
また、本発明は、携帯電話器からの無線送信を受け付けるステップと、前記携帯電話器からの個人識別情報の無線送信に基いて暗証番号を生成するステップと、前記生成された暗証番号を前記携帯電話器へ無線送信するステップと、前記無線送信された暗証番号を携帯電話器の表示手段で表示するステップと、前記表示された暗証番号の入力を受け付けるステップと、入力された暗証番号と前記生成された暗証番号とが一致するか否かによって通行可否信号を出力するステップと、前記出力された通行可否信号に基いてゲートの開閉を制御するステップと、を有するものである。
【００２０】
【発明の実施の形態】
実施の形態１．
本発明による入退室管理システムの一実施形態について図１を用いて説明する。図１は本発明の実施の形態１に係わる入退室管理システムの構成を示すシステム構成図である。図１において、１は建物や敷地への人や車などの出入りを許可されている通行者、２は通行者１が所持する携帯電話器、３はゲート（扉）の開閉を制御するゲート装置、４はゲート（扉）である。また、携帯電話器２は、無線電話回線を使用する携帯可能な電話器で、ＰＨＳ（Ｐｅｒｓｏｎａｌ  ｈａｎｄｙｐｈｏｎ  ｓｙｓｔｅｍ）と称される簡易型携帯電話器を含んでいる。
【００２１】
５はゲート装置３に設けられ、通行者１が特定の入力操作をする入力手段である。この入力手段５は、テンキー部を備えており、暗証番号の入力を行う構成になっている。また、テンキー部の構成は、数字や記号等の釦を複数個有するものやタッチパネル等の種類は問わず、特定の数字・文字・記号等を入力できるものであれば良い。
【００２２】
６はゲート装置３に設けられ、各種演算処理を行うＣＰＵ等から構成される処理手段、７は処理手段６からの所定信号に応じて暗証番号を生成する暗証番号発生手段、８は個人識別情報毎に対応させて通行可否情報（通行許可情報及び通行不可情報）を記憶する例えばデータベース等の通行可否情報記憶手段（第一の記憶手段）、９は暗証番号発生手段７で生成した暗証番号を一定時間記憶する例えばメモリ等の暗証番号記憶手段（第二の記憶手段）である。暗証番号記憶手段９は、一定時間経過すると生成された暗証番号の記憶を消去するように構成されている。
ここで、個人識別情報とは、ゲート４を通行する通行者１を識別するための情報である。そして、通行可否情報記憶手段８には、この個人識別情報毎に通行可否情報が予め登録されている。この個人識別情報の一例は、所定桁数の数字列、英字列、かな列、これらの混合列（パスワード）が挙げられる。
【００２３】
１０は処理手段６から出力される信号に応じてゲート４の開閉を制御する制御手段、１１は携帯電話器２との間で近距離無線の送受信を行う近距離無線インターフェースたる送受信手段である。ここで、ゲート装置３は、入力手段５、処理手段６、暗証番号発生手段７、通行可否情報記憶手段８（第一の記憶手段）、暗証番号記憶手段９（第二の記憶手段）、制御手段１０、及び送受信手段１１から構成される。
【００２４】
１２は携帯電話器２に設けられた近距離無線インターフェースたる送受信手段であり、ゲート装置３の送受信手段１１との間で無線送信を行う。１３は携帯電話器２に設けられ、各種演算処理を行うＣＰＵ等から構成される処理手段である。１４は、携帯電話器２に設けられ、ゲート装置３へ無線送信する個人識別情報を記憶するメモリ等からなる個人識別情報記憶手段である。１５は、携帯電話器２に設けられ、文字情報、画像情報等を表示するディスプレイ等から構成される表示手段である。ここで、携帯電話器２は、無線電話回線を使用する携帯可能な電話器の一般的構成の他に、送受信手段１２、処理手段１３、個人識別情報記憶手段１４、及び表示手段１５を備えている。
【００２５】
ここで、近距離無線インターフェースたる送受信手段１１は、携帯電話器２の送受信手段１２との間をワイヤレスに結ぶものであれば、赤外線（ＩｒＤＡ）を利用するものでも良い。つまり、送受信手段１１，１２は、無線周波接続、赤外線接続のような無線アドホック接続できる機能を有するものであり、携帯電話器２が移動して、特定領域から出たり入ったりする場合の、特定領域内でのゲート装置３との無線接続を可能にする送受信器である。このアドホック接続は、頻繁にネットワークを再構成する必要がある場合に便利な接続方法である。
【００２６】
送受信手段１１は、周辺の特定範囲内に現存する携帯電話器２に対して送受信手段１２を介して情報を送受信することができ、この環境下での通信は、基本的に近距離（数平方ｍ〜数百平方ｍ）で行われる。また、特定範囲内であれば複数の携帯電話器２と送受信することも可能で、その送受信できる携帯電話器２の数は送受信手段１１の出力等によって決定される。
【００２７】
次に、送受信手段１１，１２間の無線通信を行う一例である、主に近距離で無線データ通信を可能とする技術であるブルートゥース（Ｂｌｕｅｔｏｏｔｈ）技術について以下説明する（「Ｂｌｕｅｔｏｏｔｈ」は、テレフオンアクチーボラゲツト・エル・エム・エリクソン社から商標登録出願中）。このブルートゥースは、装置間のデータ通信を標準化したものであり、固定の携帯電話の無線ＲＦベース接続のための世界標準を構築する近距離無線データ通信技術である。この近距離無線技術であるブルートゥースを用いれば、継ぎ目の無い音声及びデータ伝送が可能になり、ケーブルを必要とすることなく、通行者１の携帯電話器２をゲート装置３に容易に且つ迅速に接続でき、携帯電話器２の通信能力を拡大することができる。
【００２８】
このブルートゥースの利用周波数帯域は現在無線ＬＡＮに割当てられている２．４ＧＨｚ帯の免許不要なＩＳＭ（Ｉｎｄｕｓｔｒｉａｌ  Ｓｃｉｅｎｔｉｆｉｃ  Ｍｅｄｉｃａｌ）帯である。
また、ブルートゥースの変調方式は、６２５（μＳ）単位で送信側から送信する通信周波数を時間的に変化させ、また、受信側の周波数も送信側に同期して変化させる周波数ホッピング形式のスペクトラム拡散技術を用いる。
【００２９】
次に前述のように構成された本実施形態に係わる入退室管理システムの動作について図２のフローを用いて説明する。まず、建物の入口に設けられたゲート（扉）４を出入りする通行者１が、ゲート装置３に設けられた送受信手段１１が受信できる情報送受信可能範囲内にいる場合（Ｓ１０１のＹＥＳ）、通行者１が保持する携帯電話器２の処理手段１３は、送受信手段１２を介してゲート装置３の送受信手段１１へ自動的に個人識別情報の無線送信を行う（Ｓ１０２）。この無線送信は、処理手段１３が個人識別情報を個人識別情報記憶手段１４から読み出すことによって行われる。
【００３０】
通行者１が、ゲート装置３に設けられた送受信手段１１が受信できる情報送受信可能範囲内にいない場合（Ｓ１０１のＮＯ）には、ゲート装置３の送受信手段１１は個人識別情報を無線受信しない。
そして、ゲート装置３の処理手段６は、送受信手段１１を介して携帯電話器２から送信された個人識別情報を入手すると、送信された個人識別情報に対応する通行可否情報を通行可否情報記憶手段８から読み出す（Ｓ１０３）。そして、読み出した通行可否情報が通行許可情報の場合には（Ｓ１０４のＹＥＳ）、処理手段６は、暗証番号発生手段７にランダムな暗証番号を生成させる（Ｓ１０５）。一方、読み出した通行可否情報が通行不可情報の場合には（Ｓ１０４のＮＯ）、処理手段６は制御手段１０に通行不可の信号を出力し、送受信手段１１を介して携帯電話器２に通行否の旨を無線送信する（Ｓ１０６）。
【００３１】
暗証番号発生手段７がランダムな暗証番号を生成すると、処理手段６は生成した暗証番号を暗証番号記憶手段９に一時記憶する（Ｓ１０７）とともに、この暗証番号を送受信手段１１を介して携帯電話器２へ無線送信する（Ｓ１０８）。ゲート装置３からの暗証番号の無線送信を送受信手段１２を介して受信すると、携帯電話器２の処理手段１３は、表示手段１５にこの暗証番号を一定時間表示する（Ｓ１０９）。通行者１は、携帯電話器２の表示手段１５に表示された暗証番号を確認して、ゲート装置３の入力手段５にこの暗証番号を入力する（Ｓ１１０）。
【００３２】
ゲート装置３の処理手段６は、入力手段５に入力された暗証番号と、暗証番号記憶手段９に記憶されている暗証番号とが一致するかの判定を行う（Ｓ１１１）。入力暗証番号が記憶されている暗証番号に一致する場合には（Ｓ１１１のＹＥＳ）、処理手段６は制御手段１０に通行許可の信号を出力する（Ｓ１１２）。そして、制御手段１０は、通行許可の信号に基いてゲート４を解錠する（Ｓ１１３）。一方、入力暗証番号が記憶されている暗証番号に一致しない場合（Ｓ１１１のＮＯ）、処理手段６は制御手段１０に通行不可の信号を出力し、送受信手段１１を介して携帯電話器２に通行否の旨を無線送信する（Ｓ１０６）。
【００３３】
上記のような構成であれば、通行の際に暗証番号発生手段７が、その都度ランダムな暗証番号を生成するため、通行者１以外の者に暗証番号が漏洩する恐れが無く、入退室管理システムのセキュリティ性を向上させることができる。
また、携帯電話器２に記憶されている個人識別情報を自動でゲート装置３に無線送信するため、通行者１が入力手段５へ個人識別情報の入力をする必要がなく、簡易にゲート（扉）の通行を行うことができる。
【００３４】
更に、通行者１は入室の度に携帯電話器２の表示手段で暗証番号を確認して入力手段５にこの暗証番号を入力するため、通行者１が暗証番号を記憶しておく必要なく、暗証番号を忘れて入退室ができないという事態が起きることがない。
【００３５】
尚、Ｓ１０９で、ゲート装置３からの暗証番号の無線送信を送受信手段１２を介して受信すると、携帯電話器２の処理手段１３は、表示手段１５にこの暗証番号を一定時間表示するとしているが、携帯電話器２への通行者１の特定操作に基いて暗証番号を表示する構成としても良い。例えば、通行者１が携帯電話器２に数字・かな釦列等から構成される利用者ＩＤ（パスワード）を入力することによって、表示手段１５に暗証番号を表示するものが挙げられる。
このような構成であれば、不正通行をしようとする者が携帯電話器２を保持している場合でも、利用者ＩＤ（パスワード）を知らなければ、暗証番号を表示することができない。従って、よりセキュリティ性の高い入退室管理システムを提供することができる。また、この利用者ＩＤ（パスワード）は、携帯電話器２を用いた他のサービスへの利用者ＩＤと兼ねることによって、利用者ＩＤを記憶する手間を省くことができる。
【００３６】
実施の形態２．
この実施の形態は、先の実施の形態１と基本的な構造は同様であるので、相違点について重点的に図３を用いて説明する。図３は本発明の実施の形態２に係わる入退室管理システムの構成を示すシステム構成図である。図３において、実施の形態１と同一又は相当部分には同じ符号を付し説明を省略する。
【００３７】
図３において、１６はゲート４を通行する通行者１の通行履歴を記録しておく通行履歴記憶手段（第三の記憶手段）である。また、暗証番号記憶手段９は、暗証番号発生手段７で生成した暗証番号と携帯電話器２から無線送信された個人識別情報とを対にして、一時記憶するものである。
【００３８】
次に前述のように構成された本実施の形態に係わる入退室管理システムの動作について図４のフローを用いて説明する。なお、Ｓ２０１〜Ｓ２０６は、実施の形態１のＳ１０１〜Ｓ１０６と同一であり、説明を省略する。暗証番号発生手段７がランダムな暗証番号を生成すると、処理手段６は生成した暗証番号と、携帯電話器２から無線送信された個人識別情報とを暗証番号記憶手段９に一時記憶する（Ｓ２０７）とともに、この暗証番号を送受信手段１１を介して携帯電話器２へ無線送信する（Ｓ２０８）。次に、Ｓ２０９〜Ｓ２１３は、実施の形態１のＳ１０９〜Ｓ１１３と同一であり、説明を省略する。
【００３９】
制御手段１０が通行許可の信号に基いてゲート４を解錠した（Ｓ２１３）後に、処理手段６は通行許可の信号の要件であるＳ２１１で一致した暗証番号に対応する個人識別情報を暗証番号記憶手段９から読み出し、通行履歴記憶手段１６にこの個人識別情報に基づく通行履歴を記録する。
【００４０】
上記のような構成であれば、個人識別情報が携帯電話器２からゲート装置３に自動送信されるため、通行者１が個人識別情報を記憶しておく必要なく、個人識別情報を忘れて入退室ができないという事態が起きることがない。
また、個人識別情報を通行者１が入力しなくても、ゲート装置３は通行者１の通行履歴を記録することができ、よりユーザーフレンドリーな入退室管理システムを提供できる。更に、通行履歴を記録することによって入退室管理システムのセキュリティを一層向上させることができる。
【００４１】
実施の形態３．
この実施の形態は、複数のゲート装置３が近接しているため、両方のゲート装置３に設けられた送受信手段１１の情報受信可能範囲が重なりあっている場合に関する。ここで、先の実施の形態１と基本的な構造は同様であるため、相違点について図５を用いて重点的に説明する。図５は本発明の実施の形態３に係わる入退室管理システムの構成を示すシステム構成図である。
図５において、携帯電話器２は複数のゲート装置３の送受信手段１１の情報受信可能範囲に所在する。この時、それぞれのゲート装置３の処理手段６は、通行可否情報記憶手段８から読み出した通行可否情報が通行許可情報の場合には、暗証番号とともにゲート名称（ゲートを特定する特定情報）を送受信手段１１を介して携帯電話器２へ無線送信する。一方、読み出した通行可否情報が通行不可情報の場合には、送受信手段１１を介して携帯電話器２に通行否の旨とともにゲート名称を無線送信する。
【００４２】
また、携帯電話器２の表示手段１５は、暗証番号とともにゲート名称を表示し、通行者１は表示された暗証番号を確認して、表示されたゲート名称に対応するゲート装置３の入力手段５にこの暗証番号を入力する。
このように暗証番号とともにゲート名称を携帯電話器２に無線送信すれば、複数のゲート装置３が近接して両方のゲート装置３に設けられた送受信手段１１の情報受信可能範囲が重なりあっている場合で、その重なり合っている範囲に携帯電話器２が所在する場合でも、ゲート装置３毎のゲート名称が携帯電話器２の表示手段１５に表示されるため、通行者１は通行可能なゲート４を容易に確認することができ、よりユーザーフレンドリーな入退室管理システムを提供することができる。
【００４３】
実施の形態４．
この実施の形態は、複数のゲート（扉）を同一のゲート装置３で制御する場合に、ゲートを特定する特定情報たるゲート名称を用いて入退室の管理を行う入退室管理システムに関する。先の実施の形態１と基本的な構造は同様であるため、相違点であるゲート４の構成について図６を用いて重点的に説明する。図６は本発明の実施の形態４に係わる入退室管理システムの構成を示すシステム構成図である。
【００４４】
図６において、ゲート装置３は、ゲート（扉）４ａ，４ｂの複数のゲートの開閉を制御している。また、ゲート装置３の入力手段５は、暗証番号以外にゲートを特定する特定情報たるゲート４ａ等のゲート名称も入力される構成となっている。
また、通行可否情報記憶手段８は、個人識別情報毎に対応させてゲート４ａ，４ｂの両方の通行可否情報（通行許可情報及び通行不可情報）を記憶している。例えば、同一の個人識別情報でもゲートが異なれば、ゲート４ａは通行許可であるが、ゲート４ｂは通行不可と記憶されている場合もある。
【００４５】
従って、ゲート装置３の処理手段６は、携帯電話器２から送信された個人識別情報を送受信手段１１を介して入手すると、送信された個人識別情報に対応するゲート４ａ，４ｂの通行可否情報を通行可否情報記憶手段８から読み出す。そして、読み出した少なくとも一方のゲートの通行可否情報が通行許可情報の場合には、処理手段６は、暗証番号発生手段７にランダムな暗証番号を生成させる。一方、読み出した両方のゲートの通行可否情報が通行不可情報の場合には、処理手段６は制御手段１０に通行不可の信号を出力し、送受信手段１１を介して携帯電話器２に通行否の旨を無線送信する。
【００４６】
また、暗証番号発生手段７がランダムな暗証番号を生成すると、処理手段６は通行すべきゲート例えばゲート４ａを選択し、生成した暗証番号とゲート４ａの名称を暗証番号記憶手段９に一時記憶するとともに、この暗証番号を送受信手段１１を介して携帯電話器２へ無線送信する。
ゲート装置３からの暗証番号の無線送信を送受信手段１２を介して受信すると、携帯電話器２の処理手段１３は、表示手段１５にこの暗証番号とゲート名称とを対にして一定時間表示する。通行者１は、携帯電話器２の表示手段１５に表示された暗証番号とゲート名称とを確認して、ゲート装置３の入力手段５にこの暗証番号とゲート名称とを入力する。
【００４７】
ゲート装置３の処理手段６は、入力手段５に入力された暗証番号と暗証番号記憶手段９に記憶されている暗証番号とが一致するかの判定、入力手段５に入力されたゲート名称と暗証番号記憶手段９に記憶されているゲート名称とが一致するかの判定、を行う。入力暗証番号及びゲート名称が記憶されている暗証番号及びゲート名称に一致する場合には、処理手段６は制御手段１０にゲート４ａの通行許可の信号を出力する。そして、制御手段１０は、通行許可の信号に基いてゲート４ａを解錠する。
【００４８】
このようにすれば、単一のゲート装置で複数のゲートを管理することができ、通行の多い場合等の多様なニーズに対応した、より操作性の向上した入退室管理システムを提供することができる。
また、処理手段６は、複数のゲートから一のゲートを選択して解錠するため、同時に両方のゲートが解錠されるのを防止することができる。
【００４９】
【発明の効果】
以上の発明から明らかなように本発明に係わる入退室管理システムは、暗証番号が漏洩すること無く、煩雑な個人識別情報の入力作業が不要で、かつ、セキュリティ性を向上できる入退室管理システムを提供することができる。
また、本発明に係わる入退室管理システムは、個人識別情報の入力作業を経ることなく、通行履歴を記録することができる入退室管理システムを提供することができる。
【図面の簡単な説明】
【図１】  この発明の実施形態１に係わる入退室管理システムの構成を示すシステム構成図である。
【図２】  この発明の実施形態１に係わる入退室管理システムの制御フロー図である。
【図３】  この発明の実施形態２に係わる入退室管理システムの構成を示すシステム構成図である。
【図４】  この発明の実施形態２に係わる入退室管理システムの制御フロー図である。
【図５】  この発明の実施形態３に係わる入退室管理システムの構成を示すシステム構成図である。
【図６】  この発明の実施形態４に係わる入退室管理システムの構成を示すシステム構成図である。
【図７】  従来の入退室管理システムの構成を示すシステム構成図である。
【図８】  従来の入退室管理システムの制御フロー図である。
【符号の説明】
１  通行者、  ２  携帯電話器、  ３  ゲート装置、  ４，４ａ，４ｂ  ゲート（扉）、  ５  入力手段、  ６，１３  処理手段、  ７  暗証番号発生手段、８  通行可否情報記憶手段、  ９  暗証番号記憶手段、  １０  制御手段、  １１，１２  送受信手段、  １４  個人識別情報記憶手段、  １５  表示手段、１６  通行履歴記憶手段。
【図１】
0004523724.tif 000002
【図２】
0004523724.tif 000003
【図３】
0004523724.tif 000004
【図４】
0004523724.tif 000005
【図５】
0004523724.tif 000006
【図６】
0004523724.tif 000007
【図７】
0004523724.tif 000008
【図８】
0004523724.tif 000009